(57)【要約】【課題】  左右巾寸法の種類が少数の天蓋部のみで、多種類のこんろ調理台に対応して確実に廃気を捕集できる総合的なフードを形成でき、また意匠的にも統一感のある換気装置付き厨房装置を提供する。【解決手段】  こんろ調理台１と、該こんろ調理台１の上方に配置され、天蓋部２と送風部３とを有した換気装置４とを備えたものである。こんろ調理台１の上面に左右方向の巾Ｍが天蓋部２の左右方向の巾Ｐよりも広いこんろ天板プレート５を配置する。こんろ天板プレート５に、左右方向に複数の発熱部６を並列配置する。天蓋部２の側方に天蓋延長部７を配置する。天蓋部２で複数の発熱部６の並列配置巾の全巾Ｎを覆うと共に、上記天蓋部２と天蓋延長部７とでこんろ天板プレー５トの左右方向の全巾を覆う。【選択図】        図１
2010051411.tif 000002
【特許請求の範囲】
【請求項１】
こんろ調理台と、該こんろ調理台の上方に配置され、天蓋部と送風部とを有した換気装置とを備えた換気装置付き厨房装置であって、
上記こんろ調理台の上面に左右方向の巾が天蓋部の左右方向の巾よりも広いこんろ天板プレートを配置し、該こんろ天板プレートに、左右方向に複数の発熱部を並列配置し、天蓋部の側方に天蓋延長部を配置し、天蓋部で複数の発熱部の並列配置巾の全巾を覆うと共に、上記天蓋部と天蓋延長部とで少なくともこんろ天板プレートの左右方向の全巾を覆って成ることを特徴とする換気装置付き厨房装置。
【請求項２】
天蓋延長部に、下方からのこんろ廃気を受け止めて天蓋部側に導出する連絡通路を形成して成ることを特徴とする請求項１記載の換気装置付き厨房装置。
【請求項３】
天蓋延長部の隣接する吊戸棚側の側面が不燃材料で形成された断熱材で構成されて成ることを特徴とする請求項１又は請求項２記載の換気装置付き厨房装置。
【請求項４】
天蓋延長部に、こんろ廃気を天蓋部に案内するための下方に垂下する廃気案内板を備えて成ることを特徴とする請求項１乃至請求項３のいずれか一項に記載の換気装置付き厨房装置。
【請求項５】
廃気案内板が天蓋延長部に格納されて引き出し自在となっていることを特徴とする請求項４記載の換気装置付き厨房装置。
【請求項６】
天蓋延長部に下方に向けて照射する照明器具を備えて成ることを特徴とする請求項１乃至請求項４のいずれか一項に記載の換気装置付き厨房装置。
【請求項７】
天蓋延長部に、物品載置台を形成した吊り下げ棚を備えて成ることを特徴とする請求項１乃至請求項６のいずれか一項に記載の換気装置付き厨房装置。
【請求項８】
天蓋延長部上方から天蓋部上方に前幕板を架け渡して、該前幕板を隣接する吊戸棚の前面扉体と略同一面として成ることを特徴とする請求項１乃至請求項７のいずれか一項に記載の換気装置付き厨房装置。
【請求項９】
天蓋延長部の上面に収納部を設けて成ることを特徴とする請求項１乃至請求項８のいずれか一項に記載の換気装置付き厨房装置。
【請求項１０】
天蓋延長部の上面と天蓋部の上面とにまたがって収納部を設け、天蓋部の上方に配置した送風部を天蓋部の左右端のいずれか一方に片寄らせて成ることを特徴とする請求項９記載の換気装置付き厨房装置。
【請求項１１】
こんろ調理台の上面の手前側に調理作業スペースを設けると共に、その奥方に発熱部を備えたこんろ天板プレートを配置し、平面視で天蓋部の前端及び天蓋延長部の前端がこんろ天板プレートの前端と略揃っているか、又は、発熱部の前端と略揃っているか、又は、発熱部の前端とこんろ天板プレートの前端との間に位置していることを特徴とする請求項１乃至請求項１０のいずれか一項記載の換気装置付き厨房装置。
【請求項１２】
正面視で天蓋延長部の高さが天蓋部の高さと略同じになっていることを特徴とする請求項１乃至請求項１１のいずれか一項に記載の換気装置付き厨房装置。
【請求項１３】
天蓋部の前面と天蓋延長部の前面とが略面一で、該天蓋部の前面、天蓋延長部の前面の位置が、隣接する吊戸棚の前面扉体又は該前面扉体に設けた把手、並びに前記収納部の前面扉又は該前面扉に設けた把手と略揃っていることを特徴とする請求項９又は請求項１０記載の換気装置付き厨房装置。
【発明の詳細な説明】
【技術分野】
【０００１】
本発明は、こんろ調理台と、該こんろ調理台の上方に配置され、天蓋部と送風部とを有した換気装置とを備えた換気装置付き厨房装置に関するものである。
【背景技術】
【０００２】
従来から特許文献１に示されるような、こんろ調理台と、該こんろ調理台の上方に配置され、天蓋部と送風部とを有した換気装置とを備えた換気装置付き厨房装置が知られている。
【０００３】
このような換気装置付き厨房装置において、こんろ天板プレートに加熱部を設けるに当たり、左右方向に並列して配置する加熱部の数を増やしたり、あるいは、左右方向に並列して配置する複数の加熱部間の間隔を拡げると複数の発熱部の並列配置巾の全巾が拡がる。このように発熱部の並列配置巾の全巾が拡がった場合、これに応じて天蓋部の幅が大きいフードを品揃えする必要があるという問題があった。
【特許文献１】特開平９−３１８１２１号公報
【特許文献２】特開平１０−２６７３４０号公報
【発明の開示】
【発明が解決しようとする課題】
【０００４】
本発明は上記の従来の問題点に鑑みて発明したものであって、発熱部の並列配置巾の全巾が拡がった場合、これに応じて天蓋の左右方向の巾の大きいフードを品揃えする必要があったが、これを解消し、特定巾の天蓋部に天蓋延長部を付加する構成とすることにより、左右巾寸法の種類が少数の天蓋部のみで、多種類のこんろ調理台に対応して確実に廃気を捕集できる総合的なフードを形成でき、また意匠的にも統一感のある換気装置付き厨房装置を提供することを課題とするものである。
【課題を解決するための手段】
【０００５】
本発明に係る換気装置付き厨房装置は、こんろ調理台１と、該こんろ調理台１の上方に配置され、天蓋部２と送風部３とを有した換気装置４とを備えたものである。そして、本発明の特徴は、こんろ調理台１の上面に左右方向の巾Ｍが天蓋部２の左右方向の巾Ｐよりも広いこんろ天板プレート５を配置し、該こんろ天板プレート５に、左右方向に複数の発熱部６を並列配置し、天蓋部２の側方に天蓋延長部７を配置し、天蓋部２で複数の発熱部６の並列配置巾の全巾Ｎを覆うと共に、上記天蓋部２と天蓋延長部７とで少なくともこんろ天板プレー５トの左右方向の全巾を覆って成ることである。
【０００６】
このように、本発明の換気装置付き厨房装置は、こんろ天板プレート５の左右方向の巾Ｍを、天蓋部２の左右方向の巾Ｐよりも広くしたものであるにもかかわらず、天蓋部２で複数の発熱部６の並列配置巾の全巾Ｎを覆ってあるので、左右方向に並列配置した複数の発熱部６からの油煙などのこんろ廃気を、天蓋部２で捕集して送風部３により排気できて、排気性を確保できる。しかも、天蓋部２と天蓋延長部７とでこんろ天板プレー５トの左右方向の全巾を覆うことで、天板プレート５と、その上方に配置した天蓋部２と天蓋延長部７が連続した巾広天蓋２２との意匠的整合性を確保することができる。
【０００７】
また、天蓋延長部７に、下方からのこんろ廃気受け止めて天蓋部２側に導出する連絡通路１２を形成することが好ましい。
【０００８】
このような構成とすることで、天蓋延長部７と天蓋部２とが別体であるにもかかわらず、天蓋延長部７においてもこんろ廃気を受け止めて天蓋部２側に導出することができ、これによりこんろ廃気を受け止める左右方向の巾が広くなって、こんろ廃気を確実に捕集して送風部３で排気できる。
【０００９】
また、天蓋延長部７の隣接する吊戸棚９側の側面が不燃材料で形成された断熱材２９で構成してあることが好ましい。
【００１０】
このような構成とすることで、隣接する吊戸棚９に断熱材を備える必要がなく、天蓋延長部７の増設のみで、隣接する吊戸棚９への熱伝導を低減できる構成とすることができる。
【００１１】
また、天蓋延長部７に、こんろ廃気を天蓋部２に案内するための下方に垂下する廃気案内板１３を備えることも好ましい。
【００１２】
複数の発熱部６の並列配置巾の全巾Ｎが巾広であるにもかかわらず、廃気案内板１３により下方からのこんろ廃気が拡散するのを防止して、スムーズに天蓋部２側に案内することができる。
【００１３】
また、廃気案内板１３が天蓋延長部に格納されて引き出し自在となっていることが好ましい。
【００１４】
このような構成とすることで、必要な時だけ天蓋延長部７に格納された廃気案内板１３を引き出し、廃気案内板１３により下方からのこんろ廃気が拡散するのを防止し、スムーズに天蓋部２側に案内させ、必要でない時は、廃気案内板１３を天蓋延長部７に格納し、外観を良くすることができる。
【００１５】
また、天蓋延長部７に下方に向けて照射する照明器具１６を備えることも好ましい。
【００１６】
このように天蓋延長部７に照明器具１６を付加することで、こんろ側方の作業台側に照明が当たり、作業性が向上する。
【００１７】
また、天蓋延長部７に、物品載置台１７を形成した吊り下げ棚１８を備えることが好ましい。
【００１８】
これにより、天蓋部２の左右方向の巾Ｐがこんろ天板プレート５の左右方向の巾Ｍよりも狭いものを使用した場合における巾広こんろの廃気捕集を確実にするための天蓋延長部７に、物品を載置する機能を付加できる。
【００１９】
また、天蓋延長部７上方から天蓋部２上方に前幕板８を架け渡して、該前幕板８を隣接する吊戸棚９の前面扉体１０と略同一面とすることが好ましい。
【００２０】
正面視において、前幕板８の左右方向の端が、天蓋部２と天蓋延長部７との境界に一致すると、前幕板８と天蓋延長部７とが、天蓋部２を備えた換気装置４とは別体の上下方向に一つの組となったユニットとして外観され、これにより天蓋部２と天蓋延長部７との境界が目立ち、天蓋部２と天蓋延長部７との左右方向における連続した一体感が損なわれる。しかしながら、上記のように、天蓋延長部７上方から天蓋部２上方に前幕板８を架け渡すことで、前幕板８の左右方向の端と、天蓋部２と天蓋延長部７との境界とが一致せず、天蓋延長部７と前幕板８とが上下方向に一つの組となったユニットとして外観されず、天蓋部２と側方に位置する天蓋延長部７との境界が目立ち難くて、天蓋部２と天蓋延長部７との左右方向における一体感が損なわれ難い。
【００２１】
また、天蓋延長部７の上面に収納部１１を設けることが好ましい。
【００２２】
このような構成とすることで、天蓋部２の上面側をデッドスペースとすることなく収納部１１として有効利用できるだけでなく、収納部１１の左右方向の巾を広く確保できる。
【００２３】
また、天蓋延長部７の上面と天蓋部２の上面とにまたがって収納部を設け、天蓋部２の上方に配置した送風部３を天蓋部２の左右端のいずれか一方に片寄らせることが好ましい。
【００２４】
このような構成とすることで、天蓋部２の天蓋部２の上面と天蓋延長部７の上面とにまたがって収納部１１を設けるに当って、収納部１１の左右巾を広く確保できる。
【００２５】
また、こんろ調理台１の上面の手前側に調理作業スペース１４を設けると共に、その奥方に発熱部６を備えたこんろ天板プレート５を配置し、平面視で天蓋部２の前端及び天蓋延長部７の前端がこんろ天板プレート５の前端と略揃っているか、又は、発熱部６の前端と略揃っているか、又は、発熱部６の前端とこんろ天板プレート５の前端との間に位置していることが好ましい。
【００２６】
このような構成とすることで、こんろ天板プレート５を備えたこんろ調理台１の手前側に設けた調理作業スペース１４を利用して調理作業ができ、しかも、平面視で天蓋部２の前端及び天蓋延長部７の前端がこんろ天板プレート５の前端と略揃っているか、又は、発熱部６の前端と略揃っているか、又は、発熱部６の前端とこんろ天板プレート５の前端との間に位置しているので、天蓋部２及び天蓋延長部７の張り出しが抑制され、天板プレート５の手前側に設けられた調理作業スペース１４で調理作業を行う際に、天蓋部２や天蓋延長部７が作業の邪魔になったり、頭をぶつけるおそれがなく、調理作業性がよくなり、しかも、発熱部６からのこんろ廃気を天蓋部２、天蓋延長部７で受けて確実に排気できる。
【００２７】
また、正面視で天蓋延長部７の高さが天蓋部２の高さと略同じとすることが好ましい。
【００２８】
このような構成とすることで、正面視で、天蓋延長部７と天蓋部２との境界で段差が生じることがなく、天蓋部２と天蓋延長部７との左右方向における連続性を現出できる。
【００２９】
また、天蓋部２の前面と天蓋延長部７の前面とが略面一で、該天蓋部２の前面、天蓋延長部７の前面の位置が、隣接する吊戸棚９の前面扉体１０又は該前面扉体１０に設けた把手１０ａ、並びに収納部１１の前面扉２８又は該前面扉２８に設けた把手２８ａと略揃っていることが好ましい。
【００３０】
このように天蓋部２の前面と天蓋延長部７の前面とが略面一とすることで、天蓋部２の前面と天蓋延長部７の前面とが連続した一体感が現出できる。また、天蓋部２の前面、天蓋延長部７の前面の位置が、隣接する吊戸棚９の前面扉体１０又は該前面扉体１０に設けた把手１０ａ、並びに収納部１１の前面扉２８又は該前面扉２８に設けた把手２８ａと略揃っていることで、これらの部材の一体感が現出でき、また、手を伸ばして天蓋部２前面や天蓋延長部７前面を越えて収納部１１の前面扉２８の把手２８ａに手を掛けて開閉操作を行うに当たって、天蓋部２前面や天蓋延長部７前面が邪魔にならない。
【発明の効果】
【００３１】
本発明は、上記のように、発熱体の並列配置巾の全巾が拡がってこんろ天板プレートの左右方向の巾が天蓋部の左右方向の巾より広くなったものにおいて、特定巾の天蓋部の側方に天蓋延長部を配設するという簡単な構成で、多種類の巾の換気装置を品揃えする必要がなく、左右巾寸法の種類が少数の天蓋部のみで、多種類の天板プレートに対応して確実に廃気を捕集して排気することができる換気装置付き厨房装置を提供することができる。これに加え、意匠的にも統一感のある換気装置付き厨房装置とすることもできる。
【００３２】
また、上記のように天蓋部の側方に配置する天蓋延長部に、他の機能を付加することで、天蓋部の側方に様々な機能を設けることができ、余分な構成を付加することなく、コンパクトに厨房機能を向上させることができる。
【００３３】
また、天蓋部上面あるいは、天蓋延長部の上面から天蓋部上面に架け渡すように収納部を設けるものにおいては、デッドスペースである天蓋部あるいは天蓋延長部の上方空間を収納部として有効利用できる。
【００３４】
また、こんろ調理台の上面の手前側に調理作業スペースを設けると共に、その奥方に発熱部を備えたこんろ天板プレートを配置し、平面視で天蓋部の前端及び天蓋延長部の前端がこんろ天板プレートの前端と略揃っているか、又は、発熱部６の前端と略揃っているか、又は、発熱部の前端とこんろ天板プレートの前端との間に位置している構成とすることで、こんろ調理台の手前側に設けた調理作業スペースを利用して調理作業ができ、しかも、上記調理作業スペースで調理作業を行う際に、天蓋部や天蓋延長部が作業の邪魔になったり、頭をぶつけるおそれがなく、調理作業性がよくなる。
【００３５】
また、本発明においては、天蓋部と天蓋延長部との連続した一体感が現出できて外観が良くなる。
【発明を実施するための最良の形態】
【００３６】
以下、本発明を添付図面に示す実施形態に基いて説明する。
【００３７】
図１乃至図４には本発明の換気装置付き厨房装置Ａの一実施形態が示してあり、換気装置付き厨房装置Ａは、床面に、こんろ２０を備えたこんろ調理台１を含む複数の調理台キャビネット１ａを一列に並べて配置し、壁面に、換気装置４、吊戸棚９を設置して構成してある。
【００３８】
こんろ調理台１上には、他の調理台キャビネット１ａ上を含んでカウンター２１が設けてあり、該カウンター２１には、こんろ調理台１の上面を構成する部分にこんろ２０が設けあり、また、カウンター２１には、他の調理台キャビネット１ａのうち、図示を省略しているが流し台キャビネットの上面を構成する部分にシンク部（図示せず）が設けてある。
【００３９】
上記カウンター２１のこんろ調理台１の上面を構成する部分に設けるこんろ２０は、電磁誘導加熱調理器、あるいはその他の加熱調理器である。こんろ２０は、薄箱状をした本体部の上面にこんろ天板プレート５を設けて主体が構成してあり、カウンター２１に設けた開口部にこんろ２０の主体部をビルトインして組み込むと共に、カウンター２１部分にこんろ２０のこんろ天板プレート５を露出させてある。こんろ天板プレート５には左右方向に複数の発熱部６が並列配置してある。このこんろ天板プレート５の左右方向の巾Ｍは、こんろ調理台１の左右方向の巾Ｌよりも狭い。
【００４０】
添付図面に示す実施形態においては３個の発熱部６をこんろ天板プレート５に左右方向に一直線又はほぼ一直線となるように並列して配置してある。
【００４１】
上記こんろ調理台１の上方には換気装置４が配置され、換気装置４は、天蓋部２と、天蓋部２の上面側に設けた送風部３とを備え、こんろ２０からの廃気を天蓋部２で捕集し、送風部３で吸引し、送風部３により屋外に排出するようになっている。
【００４２】
こんろ調理台１の上方に配置される換気装置４の天蓋部２の左右方向の巾Ｐは、上記の左右方向に複数個（添付図面に示す実施形態では３個）の発熱部６を並列して配置したこんろ天板プレート５の左右方向の巾Ｍより狭く、こんろ天板プレート５に左右方向に並列して配置した複数の発熱部６の並列配置巾の全巾Ｎよりも広い（言い換えると、左右方向に複数個の発熱部６を並列して配置したこんろ天板プレート５の左右方向の巾Ｍが、天蓋部２の左右方向の巾Ｐよりも広く、こんろ天板プレート５に左右方向に並列して配置した複数の発熱部６の並列配置巾の全巾Ｎが、天蓋部２の左右方向の巾Ｐよりも狭くなるように形成してある）。
【００４３】
ここで、本発明において、こんろ調理台１の上面に設けたこんろ天板プレート５の左右方向の巾Ｍよりも、こんろ調理台１の上方に配置する換気装置４の天蓋部２の左右方向の巾Ｐが狭いのは以下のような理由による。
【００４４】
通常、こんろ天板プレート５において、３個の発熱部６を設ける場合、手前側の左右にそれぞれ１個ずつ、左右方向の中央奥側に１個の合計３個を、３個の発熱部６の各中心が平面視で三角形の頂点に位置するように配置してある。このような配置とすると、中央奥側の発熱部６は使い難く、また、こんろ天板プレート５の前後方向の巾が長くなるため、カウンター２１のこんろ天板プレート５よりも手前の部分の前後方向の巾が狭く、この部分に鍋等を置く場所、あるいは、料理を盛り付ける皿を置く調理作業スペースを確保することができない。
【００４５】
そこで、図１、図２、図４に示すように、３個の発熱部６をこんろ天板プレート５に左右方向に一直線又はほぼ一直線となるように並列して配置すると、奥側に発熱部６がないため、３個の発熱部６はいずれも使い易く、また、こんろ天板プレート５の前後方向の巾が短くなるため、カウンター２１のこんろ天板プレート５よりも手前の部分の前後方向の巾を広く確保でき、この部分を鍋等を置く場所、あるいは、料理を盛り付ける皿を置く調理作業スペース１４とすることが可能となる。
【００４６】
ところが、本発明のように、３個の発熱部６をこんろ天板プレート５に左右方向に一直線又はほぼ一直線となるように並列して配置したものと、従来のように手前側の左右に１個ずつ、左右方向の中央奥側に１個の合計３個を、３個の発熱部６の各中心が平面視で三角形の頂点に位置するように配置した従来のものと比べると、本発明は、こんろ天板プレート５の左右方向の巾Ｍが従来よりも広くなり、したがって、こんろ天板プレート５の上方に配置する天蓋部２の左右方向の巾Ｐがこんろ天板プレート５の左右方向の巾Ｍよりも短くなる。また、このように、こんろ天板プレート５の左右方向の巾Ｍが天蓋部２の左右方向の巾Ｐよりも広くなるということは、当然こんろ調理台１の左右方向の巾Ｌは、こんろ調理台１の上方に配置する天蓋部２の左右方向の巾Ｐよりも広くなる。
【００４７】
以上のような理由で本発明においては、こんろ調理台１の上方に配置される換気装置４の天蓋部２の左右方向の巾Ｐがこんろ天板プレート５の左右方向の巾Ｍよりも短いが、本発明にあっては、前述のように、天蓋部２の左右方向の巾Ｐが、こんろ天板プレート５に左右方向に並列して配置した複数の発熱部６の並列配置巾の全巾Ｎよりも広くなっており、こんろ調理台１の上方に天蓋部２を配置するに当たり、図２、図１９に示すように、天蓋部２で、こんろ天板プレート５に左右方向に並列配置した複数の発熱部６の並列配置巾の全巾Ｎを覆うように配置する。
【００４８】
これにより、こんろ天板プレート５の左右方向の巾Ｍを、天蓋部２の左右方向の巾Ｐよりも広くしたものであるにもかかわらず、左右方向に並列配置した複数の発熱部６からの油煙などのこんろ廃気を、確実に天蓋部２で捕集することができる。
【００４９】
天蓋部２の配置に当たっては、上記のように、天蓋部２で、左右方向に並列配置した複数の発熱部６の並列配置巾の全巾Ｎを覆うように配置するのが前提であるが、この場合、平面視で、天蓋部２の左右方向の一方の端部が、左右方向の一方の端部に位置する発熱部６の外端と一致する場合、あるいは、平面視で、天蓋部２の左右方向の両端がいずれも、左右両端部に位置する発熱部６の外端よりも外側にずれて位置する場合とがあり、本発明においてはいずれの場合であってもよい。
【００５０】
このように、こんろ調理台１の上面に設けた天板プレート５の上方に、天板プレート５の左右方向の巾Ｍよりも左右方向の巾が狭い天蓋部２を配置すると、天板プレート５の左右方向の巾Ｍの全体が天蓋部２により覆われず、意匠的に不整合性となる。そこで本発明においては、天蓋部２の側方に天蓋延長部７を配置し、天蓋部２で複数の発熱部６の並列配置巾の全巾Ｎを覆うと共に、上記天蓋部２と天蓋延長部７とで少なくともこんろ天板プレー５トの左右方向の全巾を覆うように構成することで、発熱部６の並列配置巾の全巾Ｎを拡げることで左右方向の巾Ｍが広くなった天板プレート６と、天蓋部２及び天蓋延長部７で構成される巾広天蓋２２との意匠的整合性を確保することができるようにしてある。
【００５１】
また、添付図面示す実施形態ではこれに加え、こんろ調理台１の左右方向の巾Ｌに合わせるように天蓋部２の側方に天蓋延長部７を設けてあり、これにより、こんろ調理台１の左右方向の両端部と、天蓋部２及び天蓋延長部７で構成される巾広天蓋２２とを一致させてあって、こんろ調理台１と巾広天蓋部２３との意匠的整合性も確保してより統一された換気装置付き厨房装置とすることができる。
【００５２】
天蓋延長部７を設けるに当たっては、図１、図２、図４に示すように、天蓋延長部７を天蓋部２の左右方向の一方の端部側にのみ配置する場合と、図１８乃至図２０に示すように、天蓋延長部７を天蓋部２の左右方向の両端部側にそれぞれ配置する場合とがあるが、いずれであってもよい。
【００５３】
そして、本発明においては、天蓋延長部７の左右方向の巾をＱとすると、図２に示すように天蓋部２の左右方向の一方の端部に天蓋延長部７を設けた場合は、（Ｌ＝Ｐ＋Ｑ）となり、図１９のように天蓋部２の左右方向の両端部に天蓋延長部７を設けた場合は、（Ｌ＝Ｐ＋左側の天蓋延長部７の左右方向の巾Ｑ＋右側の天蓋延長部７の左右方向の巾Ｑ）となる。
【００５４】
天蓋延長部７は前後方向の長さが天蓋部２の前後方向の長さと同じで、天蓋部２の前面と天蓋延長部７の前面とが略面一となっていて、天蓋延長部７と天蓋部２との境界で前後方向に段差が生じないようになっている。また、正面視で天蓋延長部７の高さが天蓋部２の高さと略同じであって、正面視で、天蓋延長部７と天蓋部２との境界で段差が生じないようになっている。これにより、天蓋部２と天蓋延長部７との左右方向における連続性を現出して、天蓋部２と天蓋延長部７とで一連となった巾広天蓋２２を構成し、この巾広天蓋２２は、外観上、左右方向の巾が広くなったこんろ調理台１と、左右方向の巾が同じとなり、よりいっそう意匠的不整合を解消することができる。
【００５５】
図１、図２に示すように、天蓋延長部７上方から天蓋部２上方に前幕板８を架け渡してある。この前幕板８は隣接する吊戸棚９の前面扉体１０と略同一面となっており、換気装置付き厨房装置Ａにおける壁面に設置した換気装置４の前面、吊戸棚９の前面の連続性を現出し、外観を良くしている。
【００５６】
ここで、天蓋延長部７上方から天蓋部２上方に前幕板８を架け渡したのは以下の理由による。すなわち、仮に、正面視において、前幕板８の左右方向の端が、天蓋部２と天蓋延長部７との境界と一致するようにした場合、前幕板８と天蓋延長部７とが、天蓋部２を備えた換気装置４とは別体の上下方向に一つの組となったユニットとして外観視されることになり、天蓋部２と側方に位置する天蓋延長部７との境界が目立ち、天蓋部２と天蓋延長部７との左右方向における連続した一体感が損なわれることになる。
【００５７】
そこで、本発明においては、上記のように、天蓋延長部７上方から天蓋部２上方に前幕板８を架け渡すことで、前幕板８の左右方向の端と、天蓋部２と天蓋延長部７との境界とを一致させないようにしたものであり、これにより、天蓋延長部７と前幕板８とが上下方向に一つの組となったユニットとして外観されないようにできる。したがって、天蓋部２と天蓋延長部７との境界が目立ち難くて、天蓋部２と天蓋延長部７との左右方向における一体感が損なわれ難くなる。
【００５８】
また、天蓋部２の上面側には前述のように送風部３が設けてあるが、天蓋部２の左右方向の巾Ｐは送風部３の左右方向の巾よりも広いので、天蓋部２の上面側には更に送風部３の隣に収納部１１を設けて、天蓋部２の上面のデッドスペースを収納部１１として有効利用してある。
【００５９】
ここで、天蓋部２の上面に収納部１１を設ける場合、図１、図２、図４に示すように送風部３を天蓋部２の左右端のいずれか一方側に片寄らせて配置すると、収納部１１の左右方向の巾を広く確保できる。
【００６０】
また、上記収納部１１は天蓋延長部７の上面から天蓋部２の上面に架け渡して設けられる。これにより天蓋延長部７の上面を収納部１１として有効利用できるだけでなく、収納部１１の左右方向の巾をいっそう広く確保するこができる。このように収納部１１を設けた場合は、収納部１１の前面扉２８が前幕板８を構成している。
【００６１】
収納部１１は壁面に取付けられるが、この収納部１１の下面には図１２、図１３や図１７（ａ）に示すように係止金具３０が設けてあり、この係止金具３０に天蓋部２の上面、天蓋延長部７の上面にそれぞれ設けた被係止金具３１を係止することで、天蓋部２の上面及び天蓋延長部７の上面と、収納部１１の下面とが隙間３２を介して離隔するように接続してある。
【００６２】
上記天蓋部２の上面、又は、天蓋延長部７の上面から天蓋部２の上面に架け渡して設ける収納部１１として、図５乃至図９や図１４乃至図１６に示すように手前下方に回動降下する昇降収納部１１ａを設けてもよい。
【００６３】
この昇降収納部１１ａは、外箱２５と、外箱２５に対して平行リンク機構よりなる回動昇降機構部２６を介して出し入れ自在に取付けられた回動収納体２７と、外箱２５の前開口に開閉自在に取付けられた前面扉２８とで構成してあり、前面扉２８を開き、回動収納体２７を手動で手前下方に引くことで、回動昇降機構部２６を介して回動収納体２７を手前下方に引き降ろすことができるようになっている。回動収納体２７は、手前下方に引き降ろした際、図６や図１６に示すように、こんろ天板プレート５の手前の調理作業スペース１４の上方位置からこんろ調理台１の手前の上方位置にかけての空間に引き降ろされることになり、調理作業スペースで使用するもの、あるいは、調理作業スペース１４の後方の発熱部６に鍋やフライパンを位置させて加熱調理する際に使用するものを回動収納体２７から容易に取り出すことができ、調理作業が容易にできる。
【００６４】
すでに述べたように、天蓋部２の前面と天蓋延長部７の前面とは略面一となっているが、更に、上記ほぼ面一となった天蓋部２の前面、天蓋延長部７の前面の前後方向の位置が、隣接する吊戸棚９の前面扉体１０又は該前面扉体１０に設けた把手１０ａ、並びに収納部１１の前面扉２８又は該前面扉２８に設けた把手２８ａと略揃っている。
【００６５】
図１５にはその一例が示してある。図１５においては、面一となった天蓋部２の前面と天蓋延長部７の前面が隣接する吊戸棚９の前面扉体１０又は該前面扉体１０よりも少し手前側に突出しているが、収納部１１の前面扉２８に設けた把手２８ａの前面が、天蓋部２の前面と天蓋延長部７の前面と略揃っている。この実施形態においては、手を伸ばして天蓋部２前面や天蓋延長部７前面を越えて収納部１１の前面扉２８の把手２８ａに手を掛けて開閉操作を行うに当たって、天蓋部２前面や天蓋延長部７前面が邪魔にならない。
【００６６】
また、図示を省略しているが、面一となった天蓋部２の前面と天蓋延長部７の前面が、隣接する吊戸棚９の前面扉体１０、収納部１１の前面扉２８と略揃っている例であり、この実施形態においては、天蓋部２の前面、天蓋延長部７の前面、隣接する吊戸棚９の前面扉体１０、収納部１１の前面扉２８とが連続した一体感が現出できる。
【００６７】
天蓋延長部７の隣に吊戸棚９を隣接して設ける場合、図１、図５、図６、図７、図１４、図１６に示すように、天蓋延長部７の隣接する吊戸棚９側の側面に不燃材料で形成された断熱材２９を設ける。
【００６８】
このように天蓋延長部７の隣接する吊戸棚９側の側面に不燃材料で形成された断熱材２９を設けると、隣接する吊戸棚９に断熱材を備える必要がなく、天蓋延長部７の増設のみで、隣接する吊戸棚９への熱伝導を低減できる。
【００６９】
本発明においては、前述のように、天蓋部２の側方に天蓋延長部７を配置するのであるが、このように天蓋部２の側方に天蓋延長部７を配置することで、前述のように巾広こんろのこんろ廃気の捕集を天蓋延長部７で確実にすることができ、これに加え、更に、左右方向の巾が広くなったこんろ調理台１と、天蓋部２と天蓋延長部７で構成する巾広天蓋２２とを揃えて意匠的不整合を解消することができるものである。そして、上記のような機能を備えた天蓋延長部７には、他の異なる機能を備えた多機能のものとすることができる。
【００７０】
図１１（ａ）には天蓋延長部７の一例が示してある。天蓋延長部７は、下方が開口した扁平箱状をした本体部３５の一側面部に側開口部３６を形成し、内部に着脱自在に整流板３７を配設する構成となっている。この天蓋延長部７を、図１２のように天蓋部２の側方に配設するのであるが、この例の場合、天蓋部２の側面にも側開口部４２が形成してあって、上記両側開口部３６、４２が連通して連絡通路１２を形成している。
【００７１】
整流板３７には図１１（ｂ）に示すように、一側部の上端より天蓋部２側に向けて横向きガイド板３８を突設し、該横向きガイド板３８の突出基部に下方に向けて引掛け片３９を突設してある。このような構成の整流板３７を本体部３５の下開口４０から本体部３５内に入れ、図１２のように横向きガイド板３８を両側開口部３６、４２に差し込み、引掛け片３９を両側開口部３６、４２の上縁部に着脱自在に係止することで取付けてあり、下開口４０から流入したこんろ廃気を、整流板３７で整流して整流板３７の端部と本体部３５の内面との間の隙間から整流板３７の上方に流し、連絡通路１２から天蓋部２内に排気し、更に、天蓋部２で捕集したこんろ廃気と合流させ（ここで、図１２に示すように、横向きガイド板３８を、天蓋部２に設けた整流板４４の天蓋延長部７側の上面を覆うことで、こんろからの廃気は、横向きガイド板３８の上方を流れ、天蓋部２と天蓋延長部７の接合部下方から廃気を吸引することなく、上記の天蓋延長部７側から吸引される）、上記のようにして合流させてこんろ廃気は、天蓋部２から送風部３を介して外部に排気するようになっている。
【００７２】
この実施形態によれば、天蓋延長部７と天蓋部２とが別体であるにもかかわらず、天蓋延長部７に、天蓋部２と同じこんろ廃気け止めて捕集する機能を与えられ、これにより天蓋部２に加え天蓋延長部７でも油煙などのこんろ廃気を捕集することができて、こんろ廃気集するための左右方向の巾が広くなって、より確実にこんろ廃気を受け止めて捕集できる。
【００７３】
なお、図中４４は天蓋部２に設けた整流板を示す。
【００７４】
本体部３５の下開口４０の天蓋部２と反対側の縁部付近から下方に向けて廃気案内板１３が垂設してある。
【００７５】
図１１（ａ）に示す実施形態では、廃気案内板１３の上端部を本体部３５に回動自在に枢支してある。上記廃気案内板１３を枢支部４１を中心に回動して垂下姿勢としたり、水平姿勢にして本体部３５の下開口４０を閉じたりすることができるようになっている。
【００７６】
廃気案内板１３を使用する時は、図７乃至図９に示すように、廃気案内板１３を垂直に垂らし、廃気案内板１３により下方から上昇するこんろ廃気が拡散するのを防止して、天蓋延長部７、天蓋部２側にスムーズに案内するようになっている。
【００７７】
一方、廃気案内板１３を使用しない時は、図１０に示すように、廃気案内板１３を回動して水平姿勢にして下開口４０を閉じるものであり、この場合、廃気案内板１３の枢支部４１と反対側の端部を、任意の係止手段、例えば、磁石等を利用して本体部３５に着脱自在に取付け、廃気案内板１３を天蓋延長部７に格納して外観をすっきりしたものとすることができる。
【００７８】
図７乃至図１０に示す実施形態においては、複数の板材１３ａを軸部１３ｂを介して折り畳み自在に連結することで廃気案内板１３を構成してあり、廃気案内板１３を格納する場合は、折り畳んでコンパクトな水平姿勢にした状態で格納し、廃気案内板１３を使用する場合は、展延して垂下する。これにより、使用するときは廃気案内板１３の垂下長を長くして排気の拡散を確実に防止でき、使用しない時はコンパクトにして格納できる。
【００７９】
なお、上記例では、廃気案内板１３を回動自在として天蓋延長部７に格納できるようにした例を示したが、廃気案内板１３を上下方向にスライド自在とし、使用しない時は廃気案内板１３を上方にスライドさせることで天蓋延長部７内に格納し、使用時には下方に引き出すことで天蓋延長部７から下方に垂設してもよい。
【００８０】
また、廃気案内板１３を天蓋延長部７から垂設するのみで、格納しないものであってもよい。
【００８１】
また、図１４乃至図１７には、天蓋延長部７に他の機能を備える更に他の実施形態が示してある。本実施形態においては、こんろ調理台１の左右方向の端部側に片寄った位置の上方に配置する天蓋延長部７に、物品載置台１７を形成した吊り下げ棚１８を備えたものである。
【００８２】
この実施形態の場合、発熱部６を上方において覆う天蓋部２の側方に配置した天蓋延長部７に上記のように吊り下げ棚１８を設けてあるので、調理の際、こんろ調理台１の隣の隣接する他の調理台キャビネット１ａ上で調理作業をする際や、あるいは、こんろ天板プレート５の手前の調理作業スペース１４で調理作業をしたり、発熱部６に鍋やフライパンを位置させて加熱調理する際に、物品載置台１７に載置した調味料あるいは、調理用小物などを使用することができて、きわめて便利である。
【００８３】
上記図１４乃至図１７に示す実施形態においては、吊り下げ棚１８の主体を構成する枠部４３から一側方に物品載置台１７を突設し、枠部４３の物品載置台１７を突設した方と反対側の片面側に廃気案内板１３を設けてあり、廃気案内板１３側が天蓋部２側を向くように天蓋延長部７の下開口４０の天蓋部２と反対側の縁部付近に枠部４３の上端部の引掛け部１９を着脱自在に引掛けてある。
【００８４】
これにより、天蓋部２の左右方向の巾Ｐがこんろ調理台１の左右方向の巾Ｌよりも狭いものを使用した場合における意匠的不整合を解消するための天蓋延長部７に、物品を載置する機能を付加でき、また、上記のように更に廃気案内板１３を備えた場合は、前述のようにこんろ廃気の拡散を廃気案内板１３で防止することができる
図１５、図１９、図２０には、天蓋延長部７に他の機能を備える更に他の実施形態が示してある。本実施形態においては、天蓋延長部７に下方を照射する照明器具１６を備えてあり、左右方向の巾が広くなったこんろ調理台１を上方から照明することができるようにしている。
【００８５】
このように天蓋延長部７に下方を照射する照明器具１６を備えることで、天蓋部２若しくは換気装置４の装置本体に照明器具が備わらずとも、厨房装置の照明が適宜良好に備えられるものとなっている。
【００８６】
図１５に示す実施形態では、天蓋部２の左右方向の一方側にのみ天該延長部７を設け、この左右方向の一方側にのみ設けた天蓋延長部７に照明器具１６を設けてあり、また、図１９、図２０に示す実施形態においては、天蓋部２の左右方向の両側に天蓋延長部７を設け、左右の天蓋延長部７とも照明器具１６を備えている。なお、図示を省略しているが、天蓋部２の左右方向の両側に天蓋延長部７を設けたものにおいて、左右の天該延長部７の一方にのみ照明器具１６を備えてもよい。
【００８７】
また、天蓋延長部７には上記記載の機能に留まらず、他の機能を付加して天蓋部２に自在に組み合わせることで、換気装置付き厨房装置Ａのシステム性はより優れたものとなる。
【図面の簡単な説明】
【００８８】
【図１】本発明の一実施形態の斜視図である。
【図２】同上の正面図である。
【図３】同上の側面図である。
【図４】同上の平面図である。
【図５】同上の収納部を手前下方に回動降下する昇降収納部とした例を示す斜視図である。
【図６】同上の側面図である。
【図７】同上の廃気案内板を設けた例を示し、廃気案内板を垂下した状態の斜視図である。
【図８】同上の下方から見た斜視図である。
【図９】同上の正面図である。
【図１０】同上の廃気案内板を格納した状態の下方から見た斜視図である。
【図１１】（ａ）は本発明に用いる天蓋延長部の一実施形態を示す斜視図であり、（ｂ）は天蓋延長部に設ける整流板の斜視図である。
【図１２】同上の整流板を取付けた状態を示す斜視図である。
【図１３】同上の整流板を取外した状態を示す斜視図である。
【図１４】同上の吊り下げ棚を設けた例を示す斜視図である。
【図１５】同上の下方から見た斜視図である。
【図１６】同上の側面図である。
【図１７】（ａ）は同上の吊り下げ棚の取付け状態を示す破断斜視図であり、（ｂ）は吊り下げ棚の斜視図である。
【図１８】同上の天蓋部の両側に天蓋延長部を配設した例を示す斜視図である。
【図１９】同上の天蓋延長部に照明器具を設けた例を示す正面図である。
【図２０】同上の下面図である。
【符号の説明】
【００８９】
１  こんろ調理台
２  天蓋部
３  送風部
４  換気装置
５  こんろ天板プレート
６  発熱部
７  天蓋延長部
８  前幕板
９  吊戸棚
１０  前面扉体
１０ａ  把手
１１  収納部
１１ａ  昇降収納部
１２  連絡通路
１３  廃気案内板
１４  調理作業スペース
１６  照明器具
１７  物品載置台
１８  吊り下げ棚
２８  前面扉
２８ａ  把手
【図１】
2010051411.tif 000003
【図２】
2010051411.tif 000004
【図３】
2010051411.tif 000005
【図４】
2010051411.tif 000006
【図５】
2010051411.tif 000007
【図６】
2010051411.tif 000008
【図７】
2010051411.tif 000009
【図８】
2010051411.tif 000010
【図９】
2010051411.tif 000011
【図１０】
2010051411.tif 000012
【図１１】
2010051411.tif 000013
【図１２】
2010051411.tif 000014
【図１３】
2010051411.tif 000015
【図１４】
2010051411.tif 000016
【図１５】
2010051411.tif 000017
【図１６】
2010051411.tif 000018
【図１７】
2010051411.tif 000019
【図１８】
2010051411.tif 000020
【図１９】
2010051411.tif 000021
【図２０】
2010051411.tif 000022